(57)【要約】【目的】非使用時の保管性に優れ、使用時には人形を含めた装飾品を配置するための一体化された大きなスペースを容易に形成することのできる人形飾りセットを提供する。【構成】雛人形６Ａ〜６Ｅを含む装飾品６と、該装飾品を配置するための飾り台１とを備えた人形飾りセットであり、飾り台１は上蓋２Ａを有する収納ケース２と、該収納ケースの前面部に配される棚板３とを備える。棚板３は、２枚の板材３Ａをヒンジ１１で結合した折り畳み可能な構造であり、その展開時には全長が収納ケース２の前面幅より大きくなるよう設定される。そして、係る棚板３は収納ケース２の前面部に固定される着脱自在な支持部材５により所定の高さで水平状に支持される。又、収納ケース２内にはその前面部より取り外した支持部材５ほか、棚板３ならびに人形を含む装飾品６の一式を収納可能とされる。【選択図】図１
0003102080.tif 000002
【実用新案登録請求の範囲】
【請求項１】
人形を含む装飾品と該装飾品を配置するための飾り台とを備えた人形飾りセットにおいて、前記飾り台は上蓋を有する収納ケースと、該収納ケースの前面部に配される棚板とを備え、その棚板は収納ケースの前面部に固定される着脱自在な支持部材により所定の高さで水平状に支持され、前記収納ケース内にはその前面部より取り外した支持部材ほか、前記棚板ならびに人形を含む装飾品の一式を収納可能とされることを特徴とする人形飾りセット。
【請求項２】
棚板が少なくとも２枚の板材をヒンジで結合した折り畳み可能な構造であり、該棚板の展開時にはその全長が収納ケースの前面幅より大きくなるよう設定されていることを特徴とする請求項１記載の人形飾りセット。
【請求項３】
収納ケースの前面部に支持部材を固定するためのボルトを通す穴が設けられると共に、前記支持部材には前記ボルトをねじ込むためのネジ孔が設けられることを特徴とする請求項１、又は２記載の人形飾りセット。
【請求項４】
支持部材が収納ケースの前面部に対向する前面板と該前面板の両端部に連結される左右一対の側板とから成るコ字形の形態であり、その前面板に彫刻が施されていることを特徴とする請求項１〜３の何れかに記載の人形飾りセット。
【請求項５】
支持部材により支持された棚板の横ずれを防止するための位置決め手段を備えた請求項１〜４の何れかに記載の人形飾りセット。
【考案の詳細な説明】
【技術分野】
【０００１】
本考案は、上巳や端午の節句などに用いられる人形飾りセットに係わり、特に非使用時の保管性に優れ、使用に際しては小型でありながら派手やかな飾り付けを行うことのできる人形飾りセットに関する。
【背景技術】
【０００２】
一般に、女児のある家では三月三日の節句に雛壇を作って内裏雛をはじめとする雛人形などを飾り、男児のある家では五月五日の節句に兜人形などを飾るが、それら人形を含めた装飾品の種類や飾り台の形態は多種多様である。
【０００３】
例えば、飾り台としての雛壇は一段だけのものから複数段のものまで存在し、雛壇に飾る装飾品では内裏雛をはじめとする雛人形のほか、屏風、雪洞、供え物を載せる膳など様々なものが知られる。ここで、雛壇をはじめとする飾り台の多くは板材などから成る組立式で、非使用時には分解して小さく纏めることができる。
【０００４】
然し、従来から知られる雛壇その他の飾り台によれば、多数の部品から構成されるために組立・分解作業が煩わしく時間が掛かるという難点があった。又、分解した飾り台ほか、雛人形などの装飾品は、段ボール箱などに個別に収納して保管しているため出し入れが煩わしく、しかも個別収納であるがため保管中において装飾品の一部が紛失してしまうことも多い。
【０００５】
そこで、雛人形を含めた装飾品一式を所定のケース内に収納可能とし、そのケースを装飾品の飾り台として兼用できるようにした人形飾りセットを先に開発し、実用に供してきた（特許文献１）。
【０００６】
【特許文献１】登録実用新案第３０４９７１３号公報
【考案の開示】
【考案が解決しようとする課題】
【０００７】
上記の特許文献１に開示される人形飾りセットは、ケースが装飾品の収納兼飾り台として用いられることから、非使用時の保管性に優れ、使用時には装飾品の飾り付け作業を容易に行えるとして一般に広く賞用されているが、人形を含めた装飾品はケースの上蓋上に配されるだけなので、７段飾りをはじめとする従来の大型品に比べて見劣りするという問題があった。
【０００８】
このため、飾り台を成すケースの前方に、これと別体の台を配して該台上にも装飾品を配置できるようにしたものを提案しているが、係る台は複数段の棚板から構成されるため、組立や分解に時間を要し、しかも使用に際してケースの前方に配置されるだけなのでケースと前方の台が互いに離間して体裁を損なってしまうことがあった。
【０００９】
本考案は以上のような事情に鑑みて成されたものであり、その目的は非使用時の保管性に優れ、使用時には人形を含めた装飾品を配置するための一体化された大きなスペースを容易に形成することのできる人形飾りセットを提供することにある。
【課題を解決するための手段】
【００１０】
上記目的を達成するため、本考案は人形を含む装飾品と該装飾品を配置するための飾り台とを備えた人形飾りセットにおいて、前記飾り台は上蓋を有する収納ケースと、該収納ケースの前面部に配される棚板とを備え、その棚板は収納ケースの前面部に固定される着脱自在な支持部材により所定の高さで水平状に支持され、前記収納ケース内にはその前面部より取り外した支持部材ほか、前記棚板ならびに人形を含む装飾品の一式が収納可能とされることを特徴とする。
【００１１】
加えて、棚板が少なくとも２枚の板材をヒンジで結合した折り畳み可能な構造であり、該棚板の展開時にはその全長が収納ケースの前面幅より大きくなるよう設定され、更に収納ケースの前面部に支持部材を固定するためのボルトを通す穴が設けられると共に、前記支持部材には前記ボルトをねじ込むためのネジ孔が設けられることを特徴とする。
【００１２】
又、支持部材が収納ケースの前面部に対向する前面板と該前面板の両端部に連結される左右一対の側板とから成るコ字形の形態であり、その前面板に彫刻が施されていることを特徴とする。
【００１３】
更に、以上のような人形飾りセットにおいて、支持部材により支持された棚板の横ずれを防止するための位置決め手段を備えることを特徴とする。
【考案の効果】
【００１４】
本考案に係る人形飾りセットによれば、収納ケース内に人形を含めた装飾品の一式が収納可能とされることから、装飾品の一部が保管中に紛失してしまうことがなく、使用時にはケース内から装飾品一式を取り出して容易に飾り付けを行うことができる。
【００１５】
特に、使用に際して収納ケースが飾り台として用いられ、その前面部には棚板が所定の高さで水平状に配されることから、装飾品を配置する大きなスペースを形成して派手やかな飾り付けを行うことができ、しかも係る棚板は収納ケースの前面部に固定される支持部材により支持される構造であるから収納ケースと棚板により一体的な飾り台を容易に形成することができる。
【００１６】
又、棚板が少なくとも２枚の板材をヒンジで結合した折り畳み可能な構造であり、該棚板の展開時にはその全長が収納ケースの前面幅より大きくなるよう設定されることから、棚板上に多くの装飾品を配置して派手やかさを演出しながら、非使用時には該棚板を折り畳んで装飾品と一緒に収納ケース内に収納することができる。
【００１７】
更に、支持部材が収納ケースの前面部にボルト止めされることから、これにより支持される棚板と収納ケースとから成る飾り台の組立や分解を短時間で容易に行える。
【００１８】
又、支持部材がコ字形の形態で、その前面板に彫刻が施されていることから装飾効果が上がり、しかも支持部材上の棚板が位置決め手段により横ずれを防止されることから、棚板の安定性を維持できる。
【考案を実施するための最良の形態】
【００１９】
以下、本考案の適用例を図面に基づいて詳細に説明する。先ず、図１は本考案に係る人形飾りセットの使用状態を示す。図１において、１は桐や檜から形成される飾り台であり、係る飾り台１は後述する装飾品などを収納できる容積を有した収納ケース２と、その前面部に配される棚板３および座板４から構成される。このうち、収納ケース２は上端が開口する矩形の木箱で成り、その上端開口部には上蓋２Ａが嵌合される。
【００２０】
又、収納ケース２の前面部には着脱自在な支持部材５が設けられ、その支持部材５により棚板３が水平状に支持される構成としてある。係る棚板３は収納ケース２の前面幅より大きな長さを有して収納ケース２の前面部に取り付けた支持部材５により所定の高さで支持される。
【００２１】
一方、座板４は二枚一組として、棚板３の下方で収納ケース２の前方に配置される。尚、一枚の座板４は収納ケース２の前面幅より全長が短く設定されるが、これを二枚直列に連ねた状態では図１のように棚板３と同等の長さにして収納ケース２の前面幅より長くなるようにしてある。
【００２２】
又、図１において、６は上記のような飾り台１上に配置される装飾品であり、係る装飾品６は内裏雛をはじめとする雛人形６Ａ，６Ｂ，６Ｃ，６Ｄ，６Ｅほか、屏風６Ｆ、雪洞６Ｇ、並びに重箱６Ｈなどから構成される。
【００２３】
そして、その種の装飾品６は使用に際して図１のように収納ケースの上蓋２Ａ、ならびに棚板３、および座板４の上に配置され、使用後には棚板３および支持部材５ほか、座板４と雛人形６Ａ〜６Ｅを含む装飾品６の一式を収納ケース２内に収納して押し入れなどに一まとめにして保管することができる構成とされる。
【００２４】
次に、図２は飾り台の斜視分解図を示す。図２において、７は収納ケース２の上端開口部であり、この部分は上蓋２Ａの着脱によって開閉可能とされ、上端開口部７を上蓋２Ａにより閉鎖したときには、上蓋２Ａの上面が装飾品の配置面となる。又、収納ケース２の前面部にはボルト８を通す２つの穴９が所定の間隔で穿設されており、その各穴９に通したボルト８によって支持部材５を収納ケース２の前面部に固定できるようにしてある。尚、ボルト８は収納ケース２内に隠されるので、使用に際して美観を損なわない。
【００２５】
又、図２から明らかなように、支持部材５は収納ケースの前面部に対向する前面板５Ａと該前面板の両端部に連結される左右一対の側板５Ｂとから成るコ字形の形態であり、その両側板５Ｂ上には棚板３の裏面に形成される後述のロック孔に対応する突起１０が設けられて棚板３の横ずれを防止する位置決め手段が構成される。
【００２６】
これにより、棚板３は支持部材５を介して収納ケース２の前面部に水平状にして固定される。そして、係る棚板３の下方に座板４を配置することにより、図３および図４に示されるような三段構造の飾り台１を形成することができる。特に、棚板３および座板４はその各上面に装飾品を配置できるよう所定の幅を有して図４のように収納ケース２の前面部から直角に迫り出される。尚、座板４は棚板３の下方に配置されるだけであるが、これを支持部材５のように収納ケース２の前面部にボルト止めする構成とすることもできる。但し、飾り台１は三段構造に限らず座板４を省略して収納ケース２と棚板３から成る二段構造としてもよい。
【００２７】
ここで、棚板３は非使用時に収納ケース２内に収納できるよう、図５に示すように二枚の板材３Ａをヒンジ１１で結合した構成とされる。尚、図５において、１２は棚板の裏面に形成した上記のロック孔であり、このロック孔１２には図２に示した突起１０が嵌合される。そして、係る棚板３は非使用時に収納ケース内に収納できるよう図６のように二つに折り畳まれ、使用に際して展開したときには、その全長が上記のように収納ケースの前面幅より長くなるよう設定される。
【００２８】
又、図７から明らかなように、支持部材５も前面板５Ａと側板５Ｂがヒンジ１３により結合され、これを収納ケースの前面部から取り外したときには図８のように両側板５Ｂを前面板５Ａの裏面に重ねた状態に折り畳めるようになっている。よって、係る支持部材５も図８のように折り畳んだ状態で収納ケース内に収納することができ、使用に際しては前面板５Ａに対して両側板５Ｂを直角に立てることにより係る支持部材５を収納ケースの前面部に固定することができる。
【００２９】
尚、図７のように側板５Ｂの背面にはナットを埋め込んで成るネジ孔１４が形成され、支持部材５の固定時には図９のように収納ケース２の前面部（穴９）に貫通せしめたボルト８がネジ孔１４にねじ込まれる。
【００３０】
特に、支持部材の前面板５Ａには、図８のように松、竹、梅をあらわす彫刻１５が施される。このため、係る彫刻１５が使用に際して棚板の下に現れて格別な装飾効果を得ることができる。尚、彫刻１５は竜などをあらわしたものでもよい。
【００３１】
ここで、以上のように構成される人形飾りセットによれば、収納ケース２が飾り台１として兼用され、その収納ケース２内に支持部材５、棚板３、座板４、ならびに雛人形６Ａ〜６Ｅを含む装飾品６の一式を収納して保管できるので、装飾品６の一部が保管中に紛失してしまうことがなく、使用に際しては収納ケース２内から収納物を取り出して飾り付け作業を容易かつ迅速に行うことができる。
【００３２】
特に、収納ケース２の前面部に配される棚板３を有し、しかもその棚板３が収納ケース２の前面幅より大きな長さを有していることから、その上に多くの装飾品６を配置して派手やかな飾り付けを行うことができる。又、収納ケース２の前面部に支持部材５を固定して棚板３を支持する構成としていることから、収納ケース２と棚板３を一体の飾り台１として形成でき、その組立／分解も容易である。
【００３３】
以上、本考案に係る人形飾りセットについて説明したが、装飾品６は雛人形を含んだものに限らず、雛人形に代えて兜人形などを用いてもよい。又、支持部材５はコ字形をしたものに限らず、棚板３を支持することのできる突出物であればよい。
【図面の簡単な説明】
【００３４】
【図１】本考案に係る人形飾りセットの使用状態を示す正面図
【図２】飾り台の斜視分解図
【図３】飾り台を示す斜視図
【図４】飾り台を示す側面図
【図５】棚板の裏面を示した斜視図
【図６】棚板を折り畳んだ状態を示す斜視図
【図７】支持部材の一端部を示す斜視図
【図８】支持部材を折り畳んだ状態を示す斜視図
【図９】支持部材の取付部分を示した断面図
【符号の説明】
【００３５】
１  飾り台
２  収納ケース
２Ａ  上蓋
３  棚板
４  座板
５  支持部材
６  装飾品
６Ａ〜６Ｅ  雛人形
８  ボルト
９  穴
１０  突起（位置決め手段）
１１  ヒンジ
１２  ロック孔（位置決め手段）
１４  ネジ孔
１５  彫刻
【図１】
0003102080.tif 000003
【図２】
0003102080.tif 000004
【図３】
0003102080.tif 000005
【図４】
0003102080.tif 000006
【図５】
0003102080.tif 000007
【図６】
0003102080.tif 000008
【図７】
0003102080.tif 000009
【図８】
0003102080.tif 000010
【図９】
0003102080.tif 000011